(57)【要約】【課題】  浴槽等の大きさが多少違っても1種類の保温材で外装できるようにし、個別に保温材を形成する場合より、金型代や保管コストを抑制でき、また保管スペースを狭小化できるようにする。【解決手段】  本発明の保温材１は、浴槽類２の外形状に合わせて内面１ａを形成し、浴槽類２に外装するものである。上記の内面１ａに、寸法が小さい浴槽類２ａの外面に当接し、この浴槽類２ａへの外装を可能にする突起３を、除去容易状に設ける。この場合本発明品は、突起３の根元周りの内面１ａ位置に溝４を形成するのが好ましい。【選択図】      図１
2008237374.tif 000002
【特許請求の範囲】
【請求項１】
浴槽類の外形状に合わせて内面が形成され、浴槽類に外装される浴槽類の保温材であって、上記の内面に、寸法が小さい浴槽類の外面に当接し、この浴槽類への外装を可能にする突起が除去容易状に設けられていることを特徴とする浴槽類の保温材。
【請求項２】
請求項１記載の浴槽類の保温材であって、突起の根元周りの内面位置に溝が形成されていることを特徴とする浴槽類の保温材。
【請求項３】
請求項１又は２記載の浴槽類の保温材であって、単位体の集合で組立て式に形成され、外周部の接合位置に、互いに内面を面一にして重合状に接続させると共に、接合面に隙間を作る段差部が形成されていることを特徴とする浴槽類の保温材。
【請求項４】
請求項３記載の浴槽類の保温材であって、段差部の接合面に、接着剤を入り込ませて余分な接着剤の食み出しを防止するための接着剤逃し部が形成されていることを特徴とする浴槽類の保温材。
【請求項５】
請求項１乃至４の何れかに記載の浴槽類の保温材であって、突起に、突き出し寸法を変更するための切除部が形成されていることを特徴とする浴槽類の保温材。
【請求項６】
請求項１乃至５の何れかに記載の浴槽類の保温材であって、突起の先端面に、接着剤の注入溝が形成されていることを特徴とする浴槽類の保温材。
【発明の詳細な説明】
【技術分野】
【０００１】
本発明は浴槽類の保温材に関し、更に詳しくは浴槽、洗面ボウル、流し槽等の浴槽類に外装し、収容する液体の温度の低下を防止、抑制できるよう形成した浴槽類の保温材に関するものである。
【背景技術】
【０００２】
従来この種の保温材としては、例えば浴槽の外形状に完全に一致した形の保温材群が、型で成形されてなるものがある（例えば特許文献１参照）。
この従来品は、浴槽との間に隙間ができないよう、浴槽の外面に保温材を接着等の手段で取り付けて使用する。
【０００３】
而してこの従来品の場合は、浴槽の大きさが少し違うだけで、夫々の浴槽に合った保温材が別個に必要となるものであった。
従って従来品の場合は、浴槽の大きさ（サイズや肉厚の違い）に合わせて保温材を金型で成形する必要があったから、従来品によると金型代や保温材の保管コストがかかり、また保管スペースが広く必要になる、という問題点があった。
【特許文献１】特開平９−２８５９９号公報
【発明の開示】
【発明が解決しようとする課題】
【０００４】
本発明は、このような従来技術の問題点に鑑み、提案されたものである。
従って本発明の解決しようとする技術的課題は、浴槽等の大きさが多少違っても１種類の保温材で外装できるようにし、個別に保温材を形成する場合より、金型代や保管コストを抑制でき、また保管スペースを狭小化できるよう形成した浴槽類の保温材を提供することにある。
【課題を解決するための手段】
【０００５】
本発明は、上記の課題を解決するため、次のような技術的手段を採る。
即ち本発明は、図１等に示されるように、浴槽類２の外形状に合わせて内面１ａが形成され、浴槽類２に外装される浴槽類２の保温材１であって、上記の内面１ａに、寸法が小さい浴槽類２ａの外面に当接し、この浴槽類２ａへの外装を可能にする突起３が除去容易状に設けられていることを特徴とする（請求項１）。
【０００６】
ここで、浴槽類２とは、浴槽、洗面ボウル、流し槽などの、液体を入れるための容器を意味する。本発明の場合、突起３は、スポット的でも、また内面１ａに連続した状態で設けられているのでも良い。突起３の突き出し寸法は、図１に示されるように、予め共用を想定する大きさ違いの浴槽類２の中で、小さい浴槽類２ａの外面と、大きい浴槽類２ｂの外面との間隔Ｄに選定される。またここで、除去容易状とは、手で折り取ったり、手持ち式の刃物や電動工具で簡単、迅速に切り取ることができる、ということを意味する。
【０００７】
而して本発明は、図１、図３、図４等に示されるように、突起３の根元周りの内面１ａ位置に溝４が形成されているのが好ましい（請求項２）。
なぜならこれによると、溝４を利用して突起３を除去でき、突起３の除去を容易化できるからである。またこの場合、溝４が、突起３を除去した後の残部３ａを納める凹みスペースＳを作る深さに形成される場合は、突起３の除去断面が内面１ａから突き出ることを防止できる。従ってこれによると、除去断面を綺麗に平面処理することなく、直ぐに寸法の大きな浴槽等の外装に使用でき、使い勝手が良くなるものである。また本発明は、突起３の根元に、例えば切り込み９（図８参照）やミシン目状の孔等を形成し、突起３の除去が、一層、容易になるよう形成するのでも良い。
【０００８】
また本発明は、図２、図３、図５Ａに示されるように、単位体の集合で組立て式に形成され、外周部の接合位置に、互いに内面１ａを面一にして重合状に接続させると共に、接合面に隙間Ｇを作る段差部５が形成されているのが好ましい（請求項３）。
本発明品は、浴槽類２の外形に合わせて一体状に形成されるのでも良いが、この請求項に係る本発明品のように、単位体の集合で形成し、組み立てて浴槽類２を外装可能になるよう形成されるのでも良い。この場合、保温材１の外周部の接合位置に、接合面に隙間Ｇを作る段差部５が形成されると、この段差部５で浴槽類２の成形公差を調節、整合でき、また隙間Ｇに接着剤７が満たされるため、接合面に塗布する接着剤７の接着力を高めることができるものである。
【０００９】
またこの本発明の場合は、図５Ｂに示されるように、段差部５の接合面に、接着剤７を入り込ませて余分な接着剤７の食み出しを防止するための接着剤逃し部８が形成されているのでも良い（請求項４）。
この場合は、段差部５の間から接着剤７が食み出して見栄えが悪くなることを防止できるからである。接着剤逃し部８は、同図に示されるように、凹段差状に形成されたり、或いは溝状に形成されることで実現される。
【００１０】
また本発明は、図６に示されるように、突起３に、突き出し寸法を変更するための切除部３１が形成されているのが好ましい（請求項５）。
なぜならこれによると、切除部３１を介して突起３の長さを変更でき、最大、最小の間のサイズの浴槽類２を外装でき、金型代の抑制等を一層図ることができるからである。切除部３１は、例えば突起３の厚さを薄くして折れ易くしたり、或いは切れ目等の脆弱手段を突起３に形成することで実現される。またこの本発明の場合、切除部３１は、１個には限られず、突起３の突き出し方向に沿って段階的に複数形成されるのでも良い。
【００１１】
また本発明は、図７に示されるように、突起３の先端面に、接着剤７の注入溝３ｄが形成されているのでも良い（請求項６）。
なぜならこれによると、浴槽類２の外面との接着強度を高めることができ、外装状態を堅固にできるからである。また内側に空気層がある場合は、保温効果を高めることができるからである。本発明の場合、注入溝３ｄの個数、形状、断面形状等は任意である。
【発明の効果】
【００１２】
本発明は、このように浴槽類の外形状に合わせて内面が形成され、浴槽類に外装される浴槽類の保温材であって、上記の内面に、寸法が小さい浴槽類の外面に当接し、この浴槽類への外装を可能にする突起が除去容易状に設けられているものである。
従って本発明は、大きさが多少違う浴槽類でも、突起をあてがったり、突起を除去して内面を外面にあてがって外装することができる。それ故、これによれば、夫々の大きさ用の保温材を別個に形成することなく、１種類で共用でき、保温材を個別に形成する場合に比べ、金型代や保温材の保管コストを抑えることができ、また保温材の保管スペースを狭小化できる。
【発明を実施するための最良の形態】
【００１３】
以下、本発明を実施するための最良の形態を説明する。
本発明の保温材１は、図１等に示されるように、浴槽類２としての例えば浴槽の外形状に合わせて内面１ａが形成され、浴槽等の浴槽類２に外装されるものである。本発明品は、例えば発泡スチロール等の発泡性の樹脂材で形成され、この実施形態の本発明品は、図２、図３に示されるように、単位体の集合で組立て式に形成されている。
【００１４】
また本発明品は、図１等に示されるように、内面１ａに、寸法が小さい浴槽類２ａの外面に当接し、この浴槽類２ａへの外装を可能にする突起３が、除去容易状に設けられている。この突起３の突き出し長さは、この実施形態では予め共用を想定する、寸法が小さい浴槽類２ａの外面と、寸法が大きい浴槽類２ｂの外面との間隔Ｄに選定される。
【００１５】
上記の突起３は、この実施形態では図２、図３に示されるように、内面１ａの適宜箇所に、スポット的に設けられている。またこの実施形態に係る本発明品は、突起３の根元周りの内面１ａ位置に溝４が形成されている。この溝４は、この実施形態では突起３を除去した後の残部３ａ（図４Ｂ参照）を納める凹みスペースＳを作る深さに形成されている。従ってこれによると、溝４を利用して突起３を折り取り易くなり、また図４Ｂに示されるように、残部３ａが凹みスペースＳ内に納められるから、残部３ａを平面処理することなく、寸法が大きい浴槽類２ｂの外面に直ぐに取り付けることができる。
【００１６】
またこの実施形態の本発明の保温材１は、図５Ａに示されるように、外周部の接合位置に、互いに内面１ａを面一にして重合状に接続させると共に、接合面に隙間Ｇを作る段差部５が形成されている。この段差部５は、この実施形態では断面クランク形に形成され、隙間Ｇは内面１ａと平行状態で向かい合う接合面同士の間に形成されている。なお図２において、６は浴槽の脚等を通すための開口である。また図５において、７は接合面に塗布する接着剤を示す。
【００１７】
次にこの実施形態に係る本発明の施工例を説明する。
先ず作業者は、本発明の保温材１を浴槽類２の外面に、突起３の先端面や外周部の接合面に接着剤７を塗布して貼り付けて行く。この場合、接着剤７は、段差部５の接合面に広がり、隙間Ｇに充填される。
而して、図１、図４Ａに示されるように、寸法が小さい浴槽類２ａに貼り付ける場合は、作業者は突起３をそのまま残し、突起３の先端面を浴槽類２ａの外面にあてがって貼り付けて行く。また寸法が大きい浴槽類２ｂの場合は、突起３を根元から、例えば折り取り、内面１ａを大きい浴槽類２ｂの外面にあてがって貼り付けて行く（図１の鎖線状態、図４Ｂ参照）。この場合本発明は、寸法の小さい浴槽類２ａに外装すると、浴槽類２ａの外面との間に空気層が形成され、この空気層が断熱層となる。従って寸法の大きい浴槽類２ｂに直に外装し、この浴槽類２ｂの外面に密着させた場合と、保温性に大きな差異は生じない。
【００１８】
以上の処において、本発明は、例えば図６に示されるように、突起３に、突き出し寸法を変更するための切除部３１が形成されているのでも良い。切除部３１は、この実施形態の場合、突起３の中央部において、中央部から先の突起３の厚さが薄くされ、中央部から折り取りが可能になるよう形成されることで実現されている。またこの実施形態では、突起３の中央部において厚さが薄い突起部３ｂの根元周りの段差面３ｃの位置に溝４が形成されている。この溝４は、上例と同様、突起部３ｂを除去した後の残部３ａを納める凹みスペースＳを作る深さに形成されている。従ってこれによると、溝４によって突起部３ｂを折り取り易くなると共に、突起部３ｂの残部３ａを平面処理することなく、直ぐに浴槽類２ｃに外装できる。
【００１９】
この本発明の場合は、このように形成されているから、寸法が最も小さい浴槽類２ａを外装するときは突起３を折り取ることなく突起３の先端面を浴槽類２ａの外面にあてがって取り付ける。また寸法が次に小さい浴槽類２ｃを外装するときは、切除部３１から突起部３ｂを折り取って段差面３ｃを浴槽類２ｃの外面にあてがって取り付ける。また寸法が最も大きい浴槽類２ｂを外装するときは突起３の全体を根元から折り取って内面１ａを浴槽類２ｂの外面にあてがって取り付ける。従ってこれによると、３種類のサイズ違いの浴槽類２ａ、２ｂ、２ｃを、１種類の保温材１で外装できるから、一層、金型コストの低廉化や、保管スペースの狭小化等を図ることができる。
【００２０】
また本発明の保温材１は、図５Ｂに示されるように、段差部５の接合面に、接着剤７を入り込ませて余分な接着剤７の食み出しを防止するための接着剤逃し部８が形成されているのでも良い。これによると、接合面から接着剤７が食み出て見栄えが悪くなることを防止できるからである。
【００２１】
また本発明は、浴槽類２の外面との接着強度を高め、外装状態を堅固にできるよう、図７に示されるように、突起３の先端面に、接着剤７の注入溝３ｄが形成されているのでも良い。この注入溝３ｄは、この実施形態では突起３の厚さ方向（図面上、縦方向）の中央に、突起３の延長方向（長さ方向）にわたって形成されている。
【００２２】
更に本発明は、図８に示されるように、突起３の根元に折り取りを容易にするための切り込み９が形成されているのでも良い。この切り込み９は、この実施形態では突起３の根元の上下位置から内方に向かって入れられ、突起３の突き出し方向と直交する突起３の延長方向（長さ方向）の全長にわたって形成されている。この種の切り込み９が突起３の根元に形成される場合は、突起３の根元が切り込み９の分だけ薄くなるため、突起３を折り取り易くなる、という利点がある。
【図面の簡単な説明】
【００２３】
【図１】本発明の保温材の好適な一実施形態を示す使用状態時の要部断面図である。
【図２】同上保温材の展開図である。
【図３】同上保温材の斜視図である。
【図４】Ａ、Ｂとも同上保温材の使用状態を示す要部断面図である。
【図５】Ａは段差部を示す要部断面図、Ｂは段差部の他の実施形態を示す要部断面図である。
【図６】突起の他の実施形態を示す要部断面図である。
【図７】突起の他の実施形態を示す要部斜視図である。
【図８】突起の更に他の実施形態を示す要部断面図である。
【符号の説明】
【００２４】
１      保温材
１ａ    内面
２      浴槽類
２ａ    寸法が小さい浴槽類
２ｂ    寸法が大きい浴槽類
３      突起
【図１】
2008237374.tif 000003
【図２】
2008237374.tif 000004
【図３】
2008237374.tif 000005
【図４】
2008237374.tif 000006
【図５】
2008237374.tif 000007
【図６】
2008237374.tif 000008
【図７】
2008237374.tif 000009
【図８】
2008237374.tif 000010